(57)【要約】【課題】  簡易で軽量な真空断熱パネルを温室栽培ハウス構造物の内側に取り付けて配置し、室内外間の熱の貫流伝熱を抑制し、室内の安定した保温と省エネを確実に確保できる真空断熱パネルの設置方法及び真空断熱パネルを提供する。【解決手段】温室栽培ハウス１において、構造物の屋根２および側面３の内側の構造部材に真空断熱パネル４を取り付け、真空断熱パネルに設置した真空バルブ５を真空ポンプ６に接続されている配管７に接続し真空ポンプで真空断熱パネル内部の空気を吸引し、パネル内部を耐圧構造部材と真空空間から構成し高い保温及び断熱性を確保している。【選択図】図１
2008169989.tif 000002
【特許請求の範囲】
【請求項１】
温度制御により植物、動物を育成する構造物における室内の保温性および断熱性を容易にできる真空断熱パネルであって、真空断熱パネルを構造物の天井、側面、妻側等の内側の部材に取り付け、真空断熱パネルには真空状態を表示する真空計と真空バルブが装備されており、真空バルブは真空ポンプに結合された配管に接続し、真空ポンプの稼動により真空断熱パネルの内部が真空状態にあることを真空計で視認できることを特徴とする真空断熱パネルの設置方法。
【請求項２】
請求項１に記載の設置方法に用いる真空断熱パネルであって、透明で柔軟性を有する樹脂製のシートの前面シートと後面シートを備え、前面シートには真空バルブと真空状態を表示する真空計が装備されており、前面シートと後面シートの間に透明で強度を有する耐圧構造部材を配置し、両シートの端面を接着し耐圧構造部材を内在し密閉された袋を形成されたものであり、袋内部に存在する空気を脱気することにより、袋内部が耐圧構造部材と真空状態の空間から構成されていることを特徴とする真空断熱パネル。
【請求項３】
耐圧構造部材が、透明で強度を有する樹脂を母材とし加工が施され、真空状態時に生ずる前面シートと後面シートの吸引による内側に変形する圧力に耐える構造耐力を有し、かつ、両面シートの接触を防ぎ真空空間を形成するものであり、その構造形式は格子状、円形及びハニカム構造からなることを特徴とする請求項２に記載の真空断熱パネル。
【発明の詳細な説明】
【技術分野】
【０００１】  本発明は、真空断熱パネルの設置方法及び真空断熱パネルに関し、特に、軽量で容易に構造物に設置ができ確実に室内の保温及び断熱が確保できる真空断熱パネルの設置方法及び真空断熱パネルに関する。
【背景技術】
【０００２】  従来から、温室栽培ハウス、ビニールハウス等の構造物を構築する場合に、年間を通した温度管理に対して、温度の安定性及び冷暖房費の削減が要求されてきたように、温室栽培ハウス、ビニールハウスの他にも、熱帯植物園、熱帯動物園、鮮魚用ダンボール箱、建築構造物等のように、温度の安定性の確保及び冷暖房費の削減等の省エネ対策が要求されてきた。【０００３】  しかるに、温度の安定性、保温性、断熱性を確保する方法として、実用化されてはいるが、必ずしも高効率の省エネ効果を発揮していないのが実情である。【０００４】  一例として、温度管理は２４時間を通し行われるため省人化および自動化を図る温度環境制御機器が導入されており、夏季の場合、室内の温度上昇を制御するために天井自動開閉、側面自動開閉、換気装置、電動シャッター、自動カーテン、冷房システムの設備の設置、冬季の場合、暖房システムの設置と大規模な冷暖房設備をしても、一次被覆とその室内に二次としてビニールを被覆し空気層を設ける対策が取られてはいるが保温・断熱効果が少ないため、直接生産費にしめる燃料費が大きくなること、さらに燃料高騰による燃料費の上昇が大きな問題となっている。【０００５】  さらに、上記に加えて保温性を高める資材として、発泡樹脂シートやアルミ蒸着フィルムなどが使用されているが光透過性が悪いため、採光に影響の少ない側面や妻側の内張りに用いているが保温及び断熱効果をより高めることが期待出来ないのが実情である。【０００６】  以上の状況から、生産者の大きな課題は生産コストを下げることであり、特に直接生産費にしめる燃料費を低下させることにあり、そのための省エネ対策として、室内の熱を逃さない保温性及び断熱性を有し、かつ太陽の光を十分捕捉する採光性が可能な対策が望まれている。
【発明の開示】
【発明が解決しようとする課題】
【０００７】  本発明は、上記の実情に鑑みて問題点の解決のために提案するものであり、簡易で軽量な真空断熱パネルを構造物の内側の部材に取り付けて配置することによって、室内外間の熱の貫流伝熱を抑制し、室内の安定した保温及び断熱が確保でき確実に省エネでき、かつ透明な真空断熱パネルの使用により採光もできる真空断熱パネルの設置方法及び真空断熱パネルを提供している。
【課題を解決するための手段】
【０００８】  請求項１に記載の発明である真空断熱パネルの設置方法は、温度制御により植物、動物を育成する構造物における室内の保温性および断熱性を容易にできる真空断熱パネルであり、真空断熱パネルを構造物の天井、側面、妻側等の内側の部材に取り付け、真空断熱パネルには真空状態を表示する真空計と真空バルブが装備されており、真空バルブは真空ポンプに結合された配管に接続し、真空ポンプの稼動により真空断熱パネルの内部が真空状態にあることを真空計で視認できる。【０００９】  請求項２に記載の発明である真空断熱パネルは、透明で柔軟性を有する樹脂製のシートの前面シートと後面シートを備え、前面シートには真空バルブと真空状態を表示する真空計が装備されており、前面シートと後面シートの間に透明で強度を有する耐圧構造部材を配置し、両シートの端面を接着し耐圧構造部材を内在し密閉された袋を形成されたものであり、袋内部に存在する空気を脱気することにより、袋内部が耐圧構造部材と真空状態の空間から構成されていることを特徴としており保温性と断熱性を図っている。【００１０】  請求項３に記載の発明である真空断熱パネルは、請求項２に記載の真空断熱パネルにおいて、耐圧構造部材が、透明で強度を有する透明樹脂を母材とし加工が施され、真空状態時に生ずる前面シートと後面シートの吸引による内側に変形する圧力に耐える構造耐力を有し、かつ、両面シートの接触を防ぎ真空空間を形成するものであり、その構造形式は格子状、円形及びハニカム構造からなることを特徴としており熱伝達の低減を図っている。
【発明の効果】
【００１１】  請求項１に記載の発明である真空断熱パネルの設置方法は、温度制御により植物、動物を育成する構造物における室内の保温性および断熱性を容易にできる真空断熱パネルであって、真空断熱パネルを構造物の天井、側面、妻側等の内側の部材に取り付け、真空断熱パネルには真空状態を表示する真空計と真空バルブが装備されており、真空バルブは真空ポンプに結合された配管に接続し、真空ポンプの稼動により真空断熱パネルの内部が真空状態にあることを真空計で視認できる効果を発揮している。【００１２】  請求項２に記載の発明である真空断熱パネルは、透明で柔軟性を有する樹脂製のシートの前面シートと後面シートを備え、前面シートには真空バルブと真空状態を表示する真空計が装備されており、前面シートと後面シートの間に透明で強度を有する耐圧構造部材を配置し、両シートの端面を接着し耐圧構造部材を内在し密閉された袋を形成されたものであり、袋内部に存在する空気を脱気することにより、袋内部が耐圧構造部材と真空状態の空間から構成されていることを特徴としており保温性と断熱性を図れる効果を発揮している。【００１３】  請求項３に記載の発明である真空断熱パネルは、請求項２に記載の真空断熱パネルにおいて、耐圧構造部材が、透明で強度を有する透明樹脂を母材とし加工が施され、真空状態時に生ずる前面シートと後面シートの吸引による内側に変形する圧力に耐える構造耐力を有し、かつ、両面シートの接触を防ぎ真空空間を形成するものであり、その構造形式は格子状、円形及びハニカム構造からなることを特徴としており熱伝達の低減を図れる効果を発揮している。
【発明を実施するための最良の形態】
【００１４】  本発明による真空断熱パネルの設置方法及び真空断熱パネルは、簡易で軽量な真空断熱パネルを構造物の内側の部材に取り付けて配置することによって、室内外間の熱の貫流伝熱を抑制し、室内の安定した保温及び断熱が確保でき確実に省エネでき、かつ透明な真空断熱パネルの使用により採光もできることを特徴としている。
【実施例】
【００１５】  以下に、本発明による真空断熱パネルの設置方法及び真空断熱パネルの実施形態を図面に基づいて詳細に説明する。【００１６】  図１は温室栽培ハウス１の断面図であり、屋根２及び側面３の内側の部材に真空断熱パネル４をマジックテ−プ又は接着剤等で取り付け、真空断熱パネルに設置した真空バルブ５を真空ポンプ６に接続されている配管７に接続し、真空断熱パネルの真空状態を真空計８で確認する実施の形態である。【００１７】  図２は図１における（１）−（１）矢視の正面図である。温室栽培ハウスの形状寸法に対応した１セルの真空断熱パネル４を並列に組み立て、継目９をテープ等で密閉し熱の漏洩を防ぎ断熱性を確保し、真空断熱パネル毎に設置した真空バルブ５を真空ポンプ６に接続されている配管７に接続し真空ポンプで真空断熱パネル内部の空気を脱気すると袋内部の耐圧構造部材と耐圧構造部材間で造形された空間が真空状態となり、常時、真空計８で真空状態を確認しつつ管理する。【００１８】  ある１セルの真空断熱パネルの真空度が低下した場合、設置してある真空バルブを開き脱気し真空度を上げることができ、破損した場合、その１セルの真空断熱パネル全体を交換することができる。【００１９】  なお、本実施の形態における耐圧構造部材の形状として格子部材を適用し説明をする。【００２０】  図３は真空断熱パネル４の正面図である。透明で柔軟性を有する樹脂製のシートの前面シート１０と後面シート１１を備え、前面シート１０には真空バルブ５と真空状態を表示する真空計８が装備されており、前面シートと後面シートの間に透明で強度を有する格子部材１２を配置し、両シートの端面１３を接着し格子部材を内在し密閉された袋を形成されたものであり、袋内部に存在する空気を脱気することにより、袋内部が格子部材１２と格子部材の母材間で造形された真空状態の空間１４から構成されている。【００２１】  格子部材の母材間で造形された真空状態の空間１４を確保するため、前面シート１０と後面シート１１が吸引による内側に変形し、両シート面の接触を防止し、空間を確保する格子部材の母材間の距離１５は１０〜３０ｍｍの範囲が適当である。【００２２】  また、必要に応じて格子状の側面と両シートを接着することが出来る。【００２３】  格子部材は、透明の樹脂であるアクリル板、ＰＥＴ樹脂板、硬質塩ビ板、ポリカーボネート板を母材１６として加工を施している。【００２４】  図４は図３における（２）−（２）矢視の断面図である。前面シート１０と後面シート１１の端部１３を接着して作られた袋内部に格子部材１２を配置した状態であり、真空バルブ５を通し袋内部の空気を吸引したとき両シートが内側に変形し、両シート面の接触を防止し、空間を確保する格子部材の厚さ１７は１０〜３０ｍｍの範囲が適当である。【００２５】  格子部材の側面の中央部に円形の穴１８をあけ空気の流れを容易にし、真空ポンプの吸引を容易にしている【００２６】  常時、真空計８で真空状態を確認し管理している。
【図面の簡単な説明】
【００２７】
【図１】温室栽培ハウスの断面を示した断面図である。
【図２】真空断熱パネルの温室栽培ハウスに設置を示した正面図である。
【図３】真空断熱パネルを示した正面図である。
【図４】真空断熱パネルの断面を示した断面図である。
【符号の説明】
【００２８】１温室栽培ハウス
２屋根
３側面
４真空断熱パネル
５真空バルブ
６真空ポンプ
７配管
８真空計
９継目
１０前面シート
１１後面シート
１２格子部材
１３端部
１４空間
１５母材間の距離
１６格子部材の母材
１７格子部材の厚さ
１８円形の穴
【図１】
2008169989.tif 000003
【図２】
2008169989.tif 000004
【図３】
2008169989.tif 000005
【図４】
2008169989.tif 000006